(57)【要約】【課題】空気膨張式テントの送風機の吸気口に取り付ける砂塵除去フィルターであって、効果的に吸気中の砂塵を除去し、雨水の侵入を防止し、天候の晴雨や風向きの変化に自在に対応することができる砂塵除去フィルターを提供する。【解決手段】空気膨張式テントの送風機の吸気口に取り付ける砂塵除去フィルターであって、ドーム形治具と吸気口取付治具により、異物吸引防止網、フィルター材及びフィルター支持網が挟持され、ドーム形治具が側面に吸気窓を有し、かつ吸気方向を軸として回転自在であることを特徴とする砂塵除去フィルター。【選択図】図２
2005240578.tif 000002
【特許請求の範囲】
【請求項１】
空気膨張式テントの送風機の吸気口に取り付ける砂塵除去フィルターであって、ドーム形治具と吸気口取付治具により、異物吸引防止網、フィルター材及びフィルター支持網が挟持され、ドーム形治具が側面に吸気窓を有し、かつ吸気方向を軸として回転自在であることを特徴とする砂塵除去フィルター。
【発明の詳細な説明】
【技術分野】
【０００１】
本発明は、砂塵除去フィルターに関する。さらに詳しくは、本発明は、空気膨張式テントの送風機の吸気口に取り付ける砂塵除去フィルターであって、効果的に吸気中の砂塵を除去し、雨水の浸入を防止し、天候の晴雨や風向きの変化に自在に対応することができる砂塵除去フィルターに関する。
【背景技術】
【０００２】
膨張式気室からなるアーチ状の縦気柱と、該縦気柱間に連結された横気柱から骨格が形成され、該骨格の天面部及び四側面部の全体が天幕により覆われ、床材を有する空気膨張式テントは、災害時の傷病者の一次収容場所、救助隊員の休憩場所、建設現場の仮倉庫、各種イベント会場などとして使用されている。このような空気膨張式テントは、少人数で運搬することができ、緊急時に素早く安全に、だれでも使用することができる。現在は、床面積１６〜９０ｍ2程度、高さ２.５〜３.５ｍ程度の空気膨張式テントが製造、販売されている。図３は、空気膨張式テントを展張した状態を示す斜視図、その平面図、側面図及び正面図の一例である。
空気膨張式テントは、緊急時に使用される場合が多いので、短時間で展張を完了することが求められ、空気圧縮ボンベを用いると２分以内、送風機を用いると５分以内で展張を完了することが要求されている。したがって、送風機も比較的大型のものが用いられる。図４は、送風機の使用状態の一例を示す説明図である。発電機７から送られる電力により送風機８が駆動され、送気口９からホース１０を経由して空気が送られ、分配管１１において複数本のホース１２に分配され、充気口１３を経由して気柱１４内に空気が送り込まれる。送風機に吸い込まれる吸気によって砂塵が巻き上げられると、送風機内に砂塵が侵入する。地表にプラスチックシートなどを敷いて、その上に送風機を載置することも行われるが、空気膨張式テントの展張作業中に、近くでヘリコプターが離着陸して多量の砂塵が舞い上がる場合がある。また、空気膨張式テントが砂嵐の強い地域で使用される場合もある。多量の砂塵が吸気とともに送風機に吸い込まれると、送風機が焼きついて故障し、回転不能の状態になる。送風機が故障しないまでも、空気膨張式テントの気柱に送気とともに送り込まれた砂塵は、テントの気柱の内部に留まり、テント材質の損耗劣化の原因となる。
雨天の場合には、雨滴が吸気とともに送風機に吸い込まれる。空気膨張式テントが、暴風雨の中で展張され、無視し得ない量の雨水が空気膨張式テントの気柱に送り込まれる場合がある。テントに送り込まれた水の一部は、排気の際に空気とともに排出されるが、残部はテントの気柱の内部に留まり、テント材質の湿熱劣化の原因となる。
このために、送風機への砂塵の吸い込みを防止するとともに、空気膨張式テントの気柱の内部への雨水の浸入も防ぐことができる手段が求められている。
【発明の開示】
【発明が解決しようとする課題】
【０００３】
本発明は、空気膨張式テントの送風機の吸気口に取り付ける砂塵除去フィルターであって、効果的に吸気中の砂塵を除去し、雨水の侵入を防止し、天候の晴雨や風向きの変化に自在に対応することができる砂塵除去フィルターを提供することを目的としてなされたものである。
【課題を解決するための手段】
【０００４】
本発明者は、上記の課題を解決すべく鋭意研究を重ねた結果、砂塵除去フィルターの先端に側面に吸気窓を有するドーム形治具を取り付け、該治具を吸気方向を軸として回転自在な構造とすることにより、天候の晴雨や風向きの変化に対応して吸気窓の位置を変化させ、砂塵又は雨水の侵入を効果的に防止し得ることを見いだし、この知見に基づいて本発明を完成するに至った。
すなわち、本発明は、空気膨張式テントの送風機の吸気口に取り付ける砂塵除去フィルターであって、ドーム形治具と吸気口取付治具により、異物吸引防止網、フィルター材及びフィルター支持網が挟持され、ドーム形治具が側面に吸気窓を有し、かつ吸気方向を軸として回転自在であることを特徴とする砂塵除去フィルターを提供するものである。
【発明の効果】
【０００５】
本発明の砂塵除去フィルターを空気膨張式テントの送風機の吸気口に取り付けることにより、砂塵が渦巻く環境にあっても、送風機への砂塵の吸い込みを防いで、故障を起こすことなく送風機を安定して運転することができる。本発明の砂塵除去フィルターを用いることにより、空気膨張式テントの気柱の内部へ砂塵が送り込まれることがなく、また、豪雨の中にあっても、空気膨張式テントの気柱の内部へ雨水が送り込まれることがなく、気柱の内部を清浄に保ち、テント材料の劣化を防いで、空気膨張式テントを長寿命化することができる。
【発明を実施するための最良の形態】
【０００６】
本発明の砂塵除去フィルターは、空気膨張式テントの送風機の吸気口に取り付ける砂塵除去フィルターであって、ドーム形治具と吸気口取付治具により、異物吸引防止網、フィルター材及びフィルター支持網が挟持され、ドーム形治具が側面に吸気窓を有し、かつ吸気方向を軸として回転自在である砂塵除去フィルターである。
図１は、本発明の砂塵除去フィルターの一態様の斜視図であり、図２は、その分解斜視図である。本態様の砂塵除去フィルターは、ドーム形治具１と吸気口取付治具２により、異物吸引防止網３、フィルター材４及びフィルター支持網５が積層され、挟持されている。送風機により吸い込まれる空気は、異物吸引防止網により大きい異物が除去され、フィルター材により砂塵が除去され、清浄な空気となって空気膨張式テントの気柱の内部に送られる。
本発明において、異物吸引防止網の材質に特に制限はなく、例えば、金網、プラスチック網、合成繊維網などを挙げることができる。異物吸引防止網で除去する異物は、紙片、プラスチックフィルム屑、木の葉などである。異物吸引防止網の目開きは、１〜７ｍｍであることが好ましく、１.５〜４ｍｍであることがより好ましい。送風機の運転は１回につき５分以内なので、異物吸引防止網にかかった異物は、送風機の運転停止中に、手で取り除くことができる。
【０００７】
本発明において、フィルター材の形態に特に制限はなく、例えば、綾織、朱子織などの織物、ニードルフェルト、不織布、短繊維のランダムな集合体などを挙げることができる。フィルター材の材質に特に制限はなく、例えば、ガラス繊維、アクリル繊維、ポリエステル、ポリアミド、ポリプロピレンなどを挙げることができる。これらの中で、ポリエステルは、強度と寸法安定性に優れるので好適に用いることができる。フィルター材は、送風機を使用する環境における砂塵の発生状況に応じて、厚さや微細構造などを選択することができる。必要に応じてエレクトレットフィルターを用い、圧力損失を上昇させることなく、微細な粒子の捕集効率を高めることができる。
フィルター材の目開きと厚さは、送風機の使用現場の砂塵の状況に応じて適宜選択し、砂塵除去フィルターに取り付けることができるが、通常は、目開きが６０〜１５０μ、厚さが５〜４０ｍｍであることが好ましく、目開きが８０〜１２０μｍ、厚さが１０〜３０ｍｍであることがより好ましい。フィルター材の目開きを６０〜１５０μ、厚さを５〜４０ｍｍとすることにより、空気通過性を損なわず、送風機を最大風量で運転したときの圧力損失を低く保って、送風機の内部への砂塵の侵入を防止することができる。フィルター材の汚れは、目視により外観から判断することができるので、必要が生じた場合には、ドーム形治具を吸気口取付治具から取り外してフィルター材を交換することができる。
【０００８】
本発明において、フィルター支持網に特に制限はないが、錆の発生を防いで耐久性をもたせるために、ステンレス鋼製の網であることが好ましい。網の織り方に特に制限はなく、例えば、平織、綾織、平畳織、綾畳織、クリンプ織、ロッククリンプ織、フラットトップ織、トンキャップ織、タイロッド織などを挙げることができる。フィルター支持網の線径及び目開きは、送風機の風圧に耐えてフィルター材を支持し得る強度を有するように適宜選択することができるが、通常は線径０.４〜１.６ｍｍ、目開き０.５〜５ｍｍであることが好ましく、線径０.５〜１.２ｍｍ、目開き１〜３ｍｍであることがより好ましい。
本発明の砂塵除去フィルターにおいては、ドーム形治具と吸気口取付治具により、積層された異物吸引防止網、フィルター材及びフィルター支持網を挟持する。積層された異物吸引防止網、フィルター材及びフィルター支持網を挟持する方法に特に制限はなく、例えば、ドーム形治具と吸気口取付治具にねじを切り、ドーム形治具と吸気口取付治具を螺合することにより、異物吸引防止網、フィルター材及びフィルター支持網を挟持することができ、あるいは、ドーム形治具と吸気口取付治具に噛み合いクラッチを設け、ドーム形治具と吸気口取付治具を噛合することにより、異物吸引防止網、フィルター材及びフィルター支持網を挟持することもできる。
【０００９】
本発明の砂塵除去フィルターにおいて、ドーム形治具の材質に特に制限はないが、剛性が高く、錆が発生しないステンレス鋼を好適に用いることができる。ドーム形治具は、図１及び図２に示すように、ほぼ回転楕円体の半分の形状を有することが好ましい。ドーム形治具は、その側面に吸気窓６を有する。ドーム形治具と吸気口取付治具の接合部の直径が７５ｍｍのとき、吸気窓の大きさは、幅６０〜８０ｍｍ、高さ４０〜６０ｍｍであることが好ましい。吸気窓の大きさを幅６０〜８０ｍｍ、高さ４０〜６０ｍｍとすることにより、十分な余裕をもって空気を吸い込むことができ、吸気窓において圧力損失を生ずるおそれがない。
本発明の砂塵除去フィルターは、降雨、降雪時を除いて、原則として吸気窓を上方に向けて使用する。吸気窓を上方に向けて使用することにより、送風機の吸気により地表から砂塵を巻き上げて吸い込むおそれがない。また、送風機を設置した場所が露出した地面でない場合であっても、大気中の砂塵は地表に近いほど密度が高く多量に存在するので、吸気窓を上方に向けて地表から離すことにより、送風機の中に吸い込む砂塵の量を減少することができる。
地域と季節によっては、砂塵が風に送られて、ほぼ一定方向から飛来する場合がある。このような場合には、ドーム形治具を回転して吸気窓を側方に向け、吸気窓が風下に向かう位置として本発明の砂塵除去フィルターを使用することができる。吸気窓を風下に向けることにより、送風機の中に吸い込む砂塵の量を減少することができる。
【００１０】
本発明の砂塵除去フィルターは、降雨、降雪時には、吸気窓を下方に向けて使用する。フィルター材が濡れると、通気抵抗が増し、圧力損失が大きくなるが、吸気窓を下方に向けて雨雪の侵入を防ぐことにより、フィルター材を常に乾燥した状態に保ち、フィルター材による圧力損失の増大を防ぐことができる。また、吸気窓から雨水が浸入すると、雨水は送気とともに空気膨張式テントの気柱の内部に送られ、いったん気柱の内部に浸入した水分を完全に排出することは困難なので、テントの重量増や湿熱劣化の原因となる。本発明の砂塵除去フィルターは、降雨、降雪時には、吸気窓を下方に向けて使用することにより、雨水のテントの気柱の内部への浸入を防止することができる。降雨、降雪時には、砂塵は発生しないので、吸気窓を下方に向けても、送風機に砂塵が吸い込まれることがない。
本発明の砂塵除去フィルターのドーム形治具は、吸気窓を上方、両側方のいずれか又は下方に向けた状態で安定し得ることが好ましい。ドーム形治具と吸気口取付治具にねじを切って、ドーム形治具と吸気口取付治具を螺合する場合は、フィルター材の弾力を利用して、ドーム形治具が３６０度回転する範囲で安定して固定されるように、ねじのピッチを選ぶことができる。ドーム形治具と吸気口取付治具に噛み合いクラッチを設けて、ドーム形治具と吸気口取付治具を噛合する場合は、９０度ずつ離れた４か所においてドーム形治具と吸気口取付治具が噛合するように、噛み合いクラッチを設けることができる。
【００１１】
本発明の砂塵除去フィルターにおいて、吸気口取付治具の材質に特に制限はないが、剛性が高く、錆が発生しないステンレス鋼を好適に用いることができる。吸気口取付治具は、片側にはドーム形治具と接合するためのねじ、噛み合いクラッチなどを有し、他の側には送風機の吸気口と接合する手段を有する。吸気口取付治具を送風機の吸気口と接合する手段に特に制限はないが、吸気口取付治具と送風機の吸気口にねじを切ったねじ込み式であることが好ましい。ねじ込み式の接合手段を設けることにより、砂塵除去フィルターを手締めで簡単に送風機に取り付け、送風機から取り外すことができる。空気膨張式テントの使用が終わったときは、送風機の吸気口をテント側に取り付け、テントの気柱の内部の空気を排気する。
本発明の砂塵除去フィルターは、従来より使用されている送風機に対しても、送風機の吸気口に、砂塵除去フィルターの吸気口取付治具と適合するねじなどを加工することにより、簡単に取り付けることができるので、砂塵や水の吸い込みによるトラブルに対処しながら使用されている既存の送風機のトラブルも一気に解消することができる。したがって、従来は使用のたびごとに行われていた分解掃除などの保守管理や、定期点検なども簡略化することができ、焼き付きなどの故障による修理はほとんど必要がなくなる。本発明の砂塵除去フィルターは、構造が簡単で占有する容積も小さいので、従来から使用している送風機の収納具内に支障なく収めて保管することができる。
【産業上の利用可能性】
【００１２】
本発明の砂塵除去フィルターは、効果的に吸気中の砂塵を除去し、雨水の侵入を防止し、天候の晴雨や風向きの変化に自在に対応することができる。本発明の砂塵除去フィルターを空気膨張式テントの送風機の吸気口に取り付けることにより、送風機の保守管理を容易にし、送風機の故障の発生を防ぐことができる。
【図面の簡単な説明】
【００１３】
【図１】本発明の砂塵除去フィルターの一態様の斜視図である。
【図２】図１に示す砂塵除去フィルターの分解斜視図である。
【図３】空気膨張式テントを展張した状態を示す斜視図、その平面図、側面図及び正面図の一例である。
【図４】送風機の使用状態の一例を示す説明図である。
【符号の説明】
【００１４】
１  ドーム形治具
２  吸気口取付治具
３  異物吸引防止網
４  フィルター材
５  フィルター支持網
６  吸気窓
７  発電機
８  送風機
９  送気口
１０  ホース
１１  分配管
１２  ホース
１３  充気口
１４  気柱
【図１】
2005240578.tif 000003
【図２】
2005240578.tif 000004
【図３】
2005240578.tif 000005
【図４】
2005240578.tif 000006